(57)【特許請求の範囲】
【請求項１】
柱に取り付けられると共に、下方に開口する器具本体と、
前記器具本体の内部に設けられる取付台と、
前記取付台に取り付けられると共に、複数のＬＥＤが設けられる基板と、前記複数のＬＥＤの下方に設けられるレンズと、を備えるＬＥＤ発光部と、
前記器具本体における下方の開口を覆う透光性パネルと、
前記ＬＥＤ発光部と前記透光性パネルとの間に配置される、複数枚の板状のルーバーと、前記複数枚のルーバーの各々を支持する本体部と、前記本体部の上端に連接すると共に、前記器具本体の下面に取り付けられるフランジ部と、を備える遮光部材と、
を有し、
前記各ルーバーの配列方向を第１方向とし、前記第１方向に直交する方向を第２方向とする場合に、
前記各ルーバーは、前記器具本体が前記柱に取り付けられた状態において、前記柱から順次、遠ざかるように一列に配列され、かつ、前記各ルーバーは、平面視で、前記各ルーバー間に隙間が形成されるように、かつ前記第１方向において互いに所定距離だけ離れて位置するように配置されており、
前記複数枚のルーバーは、前記器具本体の、前記第１方向に沿う２つの端部のうちの一方の端部に近い位置に配置される第１のルーバーと、第１のルーバーに隣接する第２のルーバーと、前記第２のルーバーに隣接し、かつ前記器具本体の、前記第１方向に沿う２つの端部のうちの他方の端部に近い位置に配置される第３のルーバーと、を有し、
前記第１〜第３のルーバーを前記器具本体の下面に対して平行として下方から見た平面視において、
前記第１、第２のルーバーの各々は、
前記第１方向に沿って第１の高さを有し、前記第２方向に沿って第１の幅を有し、前記器具本体の前記他方の端部側の端部において、前記第１の高さよりも小さく、かつ前記第１の幅よりも小さい大きさの切欠が形成されている第１部分と、
前記第１部分の、前記器具本体の前記一方の端部側の端部に連接して前記第１方向に沿って第２の高さで突出し、かつ第２の幅を有する第２部分と、
を有し、かつ、前記第１、第２のルーバーの各々を、前記器具本体の下面に対して傾けた場合に、前記第１部分は、前記第２部分よりも前記ＬＥＤ発光部の前記レンズの近くに位置すると共に、前記第１部分は前記レンズと非接触であり、
前記第３のルーバーは、
前記第１方向に沿って前記第１の高さを有し、かつ前記第２方向に沿って前記第１の幅を有する第３部分と、
前記第３部分の、前記器具本体の前記一方の端部側の端部に連接して前記第１方向に沿って前記第２の高さで突出し、かつ前記第１の幅よりも狭い幅である第２の幅を有する第４部分と、
を有し、かつ、前記第３のルーバーを、前記器具本体の下面に対して傾けた場合に、前記第３部分は、前記第４部分よりも前記ＬＥＤ発光部の前記レンズの近くに位置すると共に、前記第３部分は前記レンズと非接触であるＬＥＤ照明器具。
【請求項２】
請求項１に記載のＬＥＤ照明器具において、
前記ＬＥＤ発光部から出射されて、前記第２のルーバーの、前記第１部分に形成されている前記切欠を経由して斜め下方に進行する光の一部が、前記第３のルーバーにおける前記第４部分により遮光されるＬＥＤ照明器具。
【請求項３】
請求項１または請求項２に記載のＬＥＤ照明器具において、
前記遮光部材を前記器具本体に取り付けるに際し、
前記器具本体の前記柱に近い側の端部から前記柱から遠い側の端部に向けて、第３、第２、第１のルーバーの順で配置し、かつ、前記第１、第２のルーバーの各々の前記第１部分を前記柱に近い側に配置し、前記第１、第２のルーバーの各々の前記第２部分を前記柱から遠い側に配置し、前記第３のルーバーの前記第３部分を前記柱に近い側に配置し、前記第３のルーバーの前記第４部分を前記柱から遠い側に配置する第１の配置と、
前記器具本体の前記柱に近い側の端部から前記柱から遠い側の端部に向けて、第１、第２、第３のルーバーの順で配置し、かつ、前記第１、第２のルーバーの各々の前記第１部分を前記柱から遠い側に配置し、前記第１、第２のルーバーの各々の前記第２部分を前記柱から近い側に配置し、前記第３のルーバーの前記第３部分を前記柱から遠い側に配置し、前記第３のルーバーの前記第４部分を前記柱に近い側に配置する第２の配置と、
を選択可能であるＬＥＤ照明器具。
【請求項４】
請求項３に記載のＬＥＤ照明器具において、
前記第１の配置が選択されると、前記柱に取り付けられている前記器具本体を側方から見た場合に、前記複数のＬＥＤが斜め下方に発する光のうちの、前記柱を基準として前記器具本体が位置する側とは反対の側において斜め下方に向かう光の一部が、前記第１〜第３の各ルーバーによって遮光され、
前記第２の配置が選択されると、前記柱に取り付けられている前記器具本体を側方から見た場合に、前記複数のＬＥＤが斜め下方に発する光のうちの、前記柱を基準として前記器具本体が位置する側において斜め下方に向かう光の一部が、前記第１〜第３の各ルーバーによって遮光されるＬＥＤ照明器具。
【請求項５】
請求項１ないし請求項４のうちのいずれか１項に記載のＬＥＤ照明器具において、
前記遮光部材は、前記器具本体の下面に対してスライド可能に取り付けられるＬＥＤ照明器具。
【発明の詳細な説明】
【技術分野】
【０００１】
本発明は、ＬＥＤを光源として野外の通路や公園等の街灯に適用されるＬＥＤ照明器具に関する。
【背景技術】
【０００２】
従来より、レンズの表面に、ＬＥＤの原点を通る中心軸の両側の所定の領域に反射部を有し、反射部の両側の領域に凸レンズ部を有するＬＥＤ照明器具が知られている（例えば、特許文献１参照）。
特許文献１は、凸レンズ部が、ＬＥＤの原点から放射された光を屈折で、両反射部の中央線と直角な方向に第１の角度範囲を持つ拡散光を照射する。
特許文献１は、反射部が、ＬＥＤの原点から放射された光を全反射と屈折で、両反射部の中央線と直角な方向に第２の角度範囲を持つ拡散光を照射する。
特許文献１は、反射部が、ＬＥＤの端部から放射される鋭角で、かつ、高輝度な光を全反射と屈折で、両反射部の中央線と直角な方向に第１の角度範囲および第２の角度範囲よりも広角な第３の角度範囲を持つ拡散光を照射する。
【先行技術文献】
【特許文献】
【０００３】
【特許文献１】特開２０１０−２０５６０５号公報（図３、請求項１）
【発明の概要】
【発明が解決しようとする課題】
【０００４】
特許文献１は、グレアなどの漏れ光に起因するＬＥＤの両端部から放射される光を有効利用して、所望の配光パターンを得ることができる。
一般に、街灯に適用されるＬＥＤ照明器具は、照射範囲が全方向に最大となるように設定されているが、設置箇所により前方、後方の照射をカットしたい場合がある。
そこで、図１１に示すように、板金により作成されたルーバー１０１を器具本体１０２に取付けたＬＥＤ照明器具１００が提案されている。
このような従来のＬＥＤ照明器具１００は、不図示のねじを器具本体１０２にねじ込むことにより、ルーバー１０１が器具本体１０２に固定されている。
しかし、このような従来のＬＥＤ照明器具１００は、ルーバー１０１の取付位置が１箇所であるために、ルーバー１０１の取付位置を変更できない。
従って、このような従来のＬＥＤ照明器具１００は、ルーバー１０１の設置箇所に応じて照射範囲を任意、かつ、容易に調整することができない。
【０００５】
本発明は、前述した課題を解決するためになされたものであり、その目的は、遮光部材の設置箇所に応じて照射範囲を任意、かつ、容易に調整でき、繰り返し再調整できるＬＥＤ照明器具を提供することにある。
【課題を解決するための手段】
【０００６】
本発明に係るＬＥＤ照明器具は、柱に取り付けられると共に、下方に開口する器具本体と、前記器具本体の内部に設けられる取付台と、前記取付台に取り付けられると共に、複数のＬＥＤが設けられる基板と、前記複数のＬＥＤの下方に設けられるレンズと、を備えるＬＥＤ発光部と、前記器具本体における下方の開口を覆う透光性パネルと、前記ＬＥＤ発光部と前記透光性パネルとの間に配置される、複数枚の板状のルーバーと、前記複数枚のルーバーの各々を支持する本体部と、前記本体部の上端に連接すると共に、前記器具本体の下面に取り付けられるフランジ部と、を備える遮光部材と、を有し、前記各ルーバーの配列方向を第１方向とし、前記第１方向に直交する方向を第２方向とする場合に、前記各ルーバーは、前記器具本体が前記柱に取り付けられた状態において、前記柱から順次、遠ざかるように一列に配列され、かつ、前記各ルーバーは、平面視で、前記各ルーバー間に隙間が形成されるように、かつ前記第１方向において互いに所定距離だけ離れて位置するように配置されており、前記複数枚のルーバーは、前記器具本体の、前記第１方向に沿う２つの端部のうちの一方の端部に近い位置に配置される第１のルーバーと、第１のルーバーに隣接する第２のルーバーと、前記第２のルーバーに隣接し、かつ前記器具本体の、前記第１方向に沿う２つの端部のうちの他方の端部に近い位置に配置される第３のルーバーと、を有し、前記第１〜第３のルーバーを前記器具本体の下面に対して平行として下方から見た平面視において、前記第１、第２のルーバーの各々は、前記第１方向に沿って第１の高さを有し、前記第２方向に沿って第１の幅を有し、前記器具本体の前記他方の端部側の端部において、前記第１の高さよりも小さく、かつ前記第１の幅よりも小さい大きさの切欠が形成されている第１部分と、前記第１部分の、前記器具本体の前記一方の端部側の端部に連接して前記第１方向に沿って第２の高さで突出し、かつ第２の幅を有する第２部分と、を有し、かつ、前記第１、第２のルーバーの各々を、前記器具本体の下面に対して傾けた場合に、前記第１部分は、前記第２部分よりも前記ＬＥＤ発光部の前記レンズの近くに位置すると共に、前記第１部分は前記レンズと非接触であり、前記第３のルーバーは、前記第１方向に沿って前記第１の高さを有し、かつ前記第２方向に沿って前記第１の幅を有する第３部分と、前記第３部分の、前記器具本体の前記一方の端部側の端部に連接して前記第１方向に沿って前記第２の高さで突出し、かつ前記第１の幅よりも狭い幅である第２の幅を有する第４部分と、を有し、かつ、前記第３のルーバーを、前記器具本体の下面に対して傾けた場合に、前記第３部分は、前記第４部分よりも前記ＬＥＤ発光部の前記レンズの近くに位置すると共に、前記第３部分は前記レンズと非接触である。
【０００７】
本発明に係るＬＥＤ照明器具は、前記ＬＥＤ発光部から出射されて、前記第２のルーバーの、前記第１部分に形成されている前記切欠を経由して斜め下方に進行する光の一部が、前記第３のルーバーにおける前記第４部分により遮光される。
【０００８】
本発明に係るＬＥＤ照明器具は、前記遮光部材を前記器具本体に取り付けるに際し、前記器具本体の前記柱に近い側の端部から前記柱から遠い側の端部に向けて、第３、第２、第１のルーバーの順で配置し、かつ、前記第１、第２のルーバーの各々の前記第１部分を前記柱に近い側に配置し、前記第１、第２のルーバーの各々の前記第２部分を前記柱から遠い側に配置し、前記第３のルーバーの前記第３部分を前記柱に近い側に配置し、前記第３のルーバーの前記第４部分を前記柱から遠い側に配置する第１の配置と、前記器具本体の前記柱に近い側の端部から前記柱から遠い側の端部に向けて、第１、第２、第３のルーバーの順で配置し、かつ、前記第１、第２のルーバーの各々の前記第１部分を前記柱から遠い側に配置し、前記第１、第２のルーバーの各々の前記第２部分を前記柱から近い側に配置し、前記第３のルーバーの前記第３部分を前記柱から遠い側に配置し、前記第３のルーバーの前記第４部分を前記柱に近い側に配置する第２の配置と、を選択可能である。
【０００９】
本発明に係るＬＥＤ照明器具は、前記第１の配置が選択されると、前記柱に取り付けられている前記器具本体を側方から見た場合に、前記複数のＬＥＤが斜め下方に発する光のうちの、前記柱を基準として前記器具本体が位置する側とは反対の側において斜め下方に向かう光の一部が、前記第１〜第３の各ルーバーによって遮光され、前記第２の配置が選択されると、前記柱に取り付けられている前記器具本体を側方から見た場合に、前記複数のＬＥＤが斜め下方に発する光のうちの、前記柱を基準として前記器具本体が位置する側において斜め下方に向かう光の一部が、前記第１〜第３の各ルーバーによって遮光される。
【００１０】
本発明に係るＬＥＤ照明器具は、前記遮光部材は、前記器具本体の下面に対してスライド可能に取り付けられる。
【発明の効果】
【００１１】
本発明に係るＬＥＤ照明器具によれば、遮光部材の設置箇所に応じて照射範囲を任意、かつ、容易に調整でき、繰り返し再調整できるという効果を奏する。
【図面の簡単な説明】
【００１２】
【図１】本発明に係る第１実施形態のＬＥＤ照明器具のパネルを開けた状態の斜め下方から視た外観斜視図
【図２】本発明に係る第１実施形態のＬＥＤ照明器具の遮光部材の単体外観斜視図
【図３】本発明に係る第１実施形態のＬＥＤ照明器具の遮光部材の平面図
【図４】本発明に係る第１実施形態のＬＥＤ照明器具の遮光部材の取付前の外観斜視図
【図５】本発明に係る第１実施形態のＬＥＤ照明器具の後方遮光時における遮光部材の取付時の外観斜視図
【図６】本発明に係る第１実施形態のＬＥＤ照明器具の後方遮光時における遮光部材の取付後の外観斜視図
【図７】本発明に係る第１実施形態のＬＥＤ照明器具の前方遮光時における遮光部材の取付時の外観斜視図
【図８】本発明に係る第１実施形態のＬＥＤ照明器具の前方遮光時における遮光部材の取付後の外観斜視図
【図９】本発明に係る第１実施形態のＬＥＤ照明器具の後方遮光時および前方遮光時の光学的特性を説明する外観斜視図
【図１０】本発明に係る第２実施形態のＬＥＤ照明器具のパネルを開けた状態の斜め下方から視た外観斜視図
【図１１】従来のＬＥＤ照明器具の外観斜視図
【発明を実施するための形態】
【００１３】
以下、本発明に係る複数の実施形態のＬＥＤ照明器具について図面を参照して説明する。
（第１実施形態）
図１に示すように、本発明に係る第１実施形態のＬＥＤ照明器具１０は、地面に埋設される柱９１の上端部に取り付けられる器具本体１１と、器具本体１１の前面を覆う透光性を有するパネル１２と、を備える。
器具本体１１は、例えばアルミニウムダイカスト製であって、パネル１２側に取付台１３が固定されている。
取付台１３は、器具本体１１の長手方向である柱９１から斜め上方に向けて離れる方向に長さを有する板部材である。
取付台１３は、中央部に第１取付部１４を有し、第１取付部１４の図１中の左方側部に第２取付部１５を有し、第１取付部１４の図１中の右方側部に第３取付部１６を有する。
取付台１３は、第１取付部１４が、第２取付部１５および第３取付部１６よりも器具本体１１から離れて配置されている。
取付台１３は、両側部に、器具本体１１に固定された一対のフランジ部１７，１８を有し、これらフランジ部１７，１８の中央位置に固定ねじ１９，２０がそれぞれ配置されている。
【００１４】
そして、取付台１３の第１取付部１４に発光部２１の一部を構成する第１ＬＥＤ発光部２２が取り付けられており、取付台１３の第２取付部１５に発光部２１の他の一部を構成する第２ＬＥＤ発光部２３が取り付けられている。
また、取付台１３の第３取付部１６に発光部２１の残りの一部を構成する第３ＬＥＤ発光部２４が取り付けられている。
第１ＬＥＤ発光部２２は、単一の回路基板２５に複数のＬＥＤ２６が封止されており、これらＬＥＤ２６を覆って単一のレンズ２７が取り付けられている。
第２ＬＥＤ発光部２３は、単一の回路基板２８に複数のＬＥＤ２９が封止されており、これらＬＥＤ２９を覆って単一のレンズ３０が取り付けられている。
第３ＬＥＤ発光部２４は、単一の回路基板３１に複数のＬＥＤ３２が封止されており、これらＬＥＤ３２を覆って単一のレンズ３３が取り付けられている。
【００１５】
そして、取付台１３の固定ねじ１９，２０に、第１ルーバー３４、第２ルーバー３５、および第３ルーバー３６を有する遮光部材３７が取り付けられている。
遮光部材３７は、各ルーバー３４，３５，３６を設けている本体３８の側部に一対のフランジ部３９，４０を有する。
遮光部材３７は、フランジ部３９，４０に、後方遮光用ねじ切欠４１，４２および前方遮光用ねじ切欠４３，４４が形成されている。
遮光部材３７は、後方遮光用ねじ切欠４１，４２が固定ねじ１９，２０に固定されることにより後方遮光の配置になり、これとは異なり、前方遮光用ねじ切欠４３，４４が固定ねじ２０，１９に固定されることにより前方遮光の配置になる。
【００１６】
遮光部材３７は、各ルーバー３４，３５，３６が、各ＬＥＤ発光部２２，２３，２４の光軸に対して斜めに配置されており、各ＬＥＤ発光部２２，２３，２４の配列方向に沿って複数装備されている。
遮光部材３７は、各ルーバー３４，３５，３６が、各レンズ２７，３０，３３の光出射面から離間配置されている。
なお、各ルーバー３４，３５，３６の数は限定されるものではなく、１個であっても２個であっても４個以上の複数個であってもよい。
パネル１２は、その先端部に有するヒンジ部材４５が器具本体１１の先端部に連結されており、その基端部が器具本体１１の基端部にねじ止めされることにより、器具本体１１の開口部分を覆って器具本体１１に取り付けられる。
【００１７】
次に、遮光部材３７の詳細構造について説明する。
図２に示すように、遮光部材３７は、各ルーバー３４，３５，３６に、各ＬＥＤ発光部２２，２３，２４から離れる方向に突出した外側突起４６，４７，４８をそれぞれ有する。
外側突起４６，４７，４８は、発光部２１における中央部の第１ＬＥＤ発光部２２からの光成分を遮光することにより、眩しさを減少できる。
遮光部材３７は、第１ルーバー３４および第２ルーバー３５に、各ＬＥＤ発光部２２，２３，２４から離れる方向に矩形に切除された内側切欠４９および内側切欠５０をそれぞれ有する。
このとき、遮光部材３７は、後方遮光に配置されたときに、最も柱９１側である器具本体１１の基端部側の第３ルーバー３６は、内側切欠を有さない。
【００１８】
図３に示すように、各ルーバー３４，３５，３６は、平面視において非重複の位置に配置されている。
すなわち、第１ルーバー３４の下端部と第２ルーバー３５の外側突起４７とが平面視において重なっておらず、第２ルーバー３５の下端部と第３ルーバー３６の外側突起４８とが平面視において重なっていない。
このとき、第１ルーバー３４の内側切欠４９の内側を通過した光成分が第２ルーバー３５の外側突起４７により遮光され、同様に、第２ルーバー３５の内側切欠５０の内側を通過した光成分が第３ルーバー３６の外側突起４８により遮光される。
そのため、第１ルーバー３４および第２ルーバー３５から各レンズ２７，３０，３３の光出射面までの距離を十分確保できる。
【００１９】
次に、ＬＥＤ照明器具１０における遮光部材３７の取付手順について説明する。
まず、遮光部材３７を後方遮光に配置する場合について説明する。この作業は、設置場所において設置環境を考慮して遮光部材３７の配置が決定される。
図４に示すように、遮光部材３７が取り付けられていないＬＥＤ照明器具１０が設置場所に設置される。
図５に示すように、遮光部材３７が用意され、第１ルーバー３４を上方である柱９１側とは反対側に向けた状態で、遮光部材３７のフランジ部３９，４０における後方遮光用ねじ切欠４１，４２が固定ねじ１９，２０に挿通される。
そして、図６に示すように、固定ねじ１９，２０がねじ込まれることにより、遮光部材３７が後方遮光の配置で器具本体１１に取り付けられる。
これにより、ＬＥＤ照明器具１０は、発光部２１からの光成分のうちの柱９１側に向けた光成分が遮光部材３７の第１ルーバー３４、第２ルーバー３５、および、第３ルーバー３６により遮光されて柱９１側を照射しない。
このとき、第３ルーバー３６に内側切欠を有さないために、第３ルーバー３６に照射された発光部２１からの光成分が後方に漏れることがない。
【００２０】
続いて、遮光部材３７を前方遮光に配置する場合について説明する。
図７に示すように、遮光部材３７を図５の状態とは反対向きに配置し、第１ルーバー３４を下方である柱９１側に向けた状態で、遮光部材３７のフランジ部３９，４０における前方遮光用ねじ切欠４３，４４が固定ねじ２０，１９に挿通される。
そして、図８に示すように、固定ねじ２０，１９がねじ込まれることにより、遮光部材３７が後方遮光の配置で器具本体１１に取り付けられる。
これにより、ＬＥＤ照明器具１０は、発光部２１からの光成分のうちの柱９１とは反対側に向けた光成分が遮光部材３７の第１ルーバー３４、第２ルーバー３５、および、第３ルーバー３６により遮光されて照射しないことになる。
このときも、第３ルーバー３６に内側切欠を有さないために、第３ルーバー３６に照射された発光部２１からの光成分が前方に漏れることがない。
【００２１】
次に、ＬＥＤ照明器具１０の光学的特性について説明する。
遮光部材３７を取り付けない場合、ＬＥＤ照明器具１０は、発光部２１からの光成分が柱９１側および柱９１とは反対側に照射されるために、範囲Ｘ１の照射範囲を有する。
これとは異なり、遮光部材３７が後方遮光の位置に設定された場合、ＬＥＤ照明器具１０は、発光部２１からの光成分のうちの柱９１側に向けた光成分が遮光部材３７の各ルーバー３４，３５，３６により遮光されて柱９１側を照射しない。
そのため、柱９１側を照射しない範囲Ｘ２の照射範囲が設定される。
これに反して、遮光部材３７が前方遮光の位置に設定された場合、ＬＥＤ照明器具１０は、発光部２１からの光成分のうちの柱９１とは反対側に向けた光成分が遮光部材３７の各ルーバー３４，３５，３６により遮光されて柱９１とは反対側を照射しない。
そのため、柱９１とは反対側を照射しない範囲Ｘ３の照射範囲が設定される。
このように、ＬＥＤ照明器具１０は、遮光部材３７の取付向きを逆にするだけで後方遮光および前方遮光の切り替えを簡単に行える。
【００２２】
以上、説明した本発明に係る第１実施形態のＬＥＤ照明器具１０によれば、遮光部材３７の設置箇所に応じて照射範囲を任意、かつ、容易に調整でき、繰り返し再調整できる。
【００２３】
また、ＬＥＤ照明器具１０によれば、第１ルーバー３４および第２ルーバー３５から各レンズ２７，３０，３３の光出射面までの距離を十分確保できる。
【００２４】
そして、ＬＥＤ照明器具１０によれば、各ルーバー３４，３５，３６の外側突起４６，４７，４８が、発光部２１における中央部の第１ＬＥＤ発光部２２からの光成分を遮光することにより、眩しさを減少できる。
【００２５】
さらに、ＬＥＤ照明器具１０によれば、第３ルーバー３６に内側切欠を有さないために、第３ルーバー３６に照射された発光部２１からの光成分の漏れを防止できる。
【００２６】
さらに、ＬＥＤ照明器具１０によれば、遮光部材３７の取付向きを逆にするだけで後方遮光および前方遮光の切り替えを簡単にできる。
【００２７】
（第２実施形態）
次に、本発明に係る第２実施形態のＬＥＤ照明器具ついて説明する。
なお、以下の第２実施形態において、前述した第１実施形態と重複する構成要素や機能的に同様な構成要素については、図中に同一符号あるいは相当符号を付することによって説明を簡略化あるいは省略する。
【００２８】
図１０に示すように、本発明に係る第２実施形態のＬＥＤ照明器具６０は、中央部をダミーとした取付台６１が適用されており、取付台６１は、中央部の図１０中の左方側部に第１取付部６２を有し、中央部の図１０中の右方側部に第２取付部６３を有する。
また、取付台６１の第１取付部６２に発光部２１の一部を構成する第１ＬＥＤ発光部２２が取り付けられており、取付台６１の第２取付部６３に発光部２１の他の一部を構成する第２ＬＥＤ発光部２３が取り付けられている。
そして、第１実施形態と同様に、遮光部材３７が取り付けられる。
【００２９】
ＬＥＤ照明器具６０によれば、取付台６１の中央部をダミーとしているために、消費電力を削減できる。
【００３０】
なお、本発明のＬＥＤ照明器具において柱、器具本体、パネル等は、前述した各実施形態に限定されるものでなく、適宜な変形や改良等が可能である。
本実施形態では、遮光部材３７の後方遮光もしくは前方遮光の配置を、取付向きの切り替えにより変更可能にしたが、これ以外には、例えば、遮光部材３７の後方遮光もしくは前方遮光の配置を、取付向きの切り替え、その部分でスライド自在に構成してもよい。
また、遮光部材３７を単にスライド自在に構成して、遮光範囲を変更できるように構成してもよい。
【符号の説明】
【００３１】
１０，６０  ＬＥＤ照明器具
２１  発光部
２２  第１ＬＥＤ発光部（ＬＥＤ発光部）
２３  第３ＬＥＤ発光部（ＬＥＤ発光部）
２４  第３ＬＥＤ発光部（ＬＥＤ発光部）
３４  第１ルーバー（ルーバー）
３５  第２ルーバー（ルーバー）
３６  第３ルーバー（ルーバー）
３７  遮光部材
４６，４７，４８  外側突起
４９，５０  内側切欠
【図１】
0005895187.tif 000002
【図２】
0005895187.tif 000003
【図３】
0005895187.tif 000004
【図４】
0005895187.tif 000005
【図５】
0005895187.tif 000006
【図６】
0005895187.tif 000007
【図７】
0005895187.tif 000008
【図８】
0005895187.tif 000009
【図９】
0005895187.tif 000010
【図１０】
0005895187.tif 000011
【図１１】
0005895187.tif 000012